(57)【特許請求の範囲】
【請求項１】
円筒状の基部と、該基部の外周面から基部の軸線に直交する方向に延出する導出管と、該基部の外周面から該導出管の軸線上であって該導出管の延出方向とは逆方向に延出する第１導入管と、該基部と該導出管と該第１導入管との各軸線に直交する方向に延出する第２導入管と、基部内に液密かつ回動自在に設けられた円柱状体とを備え、該円柱状体に、その回動により該導出管と該第１導入管と該第２導入管とを選択的に連通させる切換路が形成された三方活栓において、
前記切換路は、前記導出管と前記第１導入管と前記第２導入管とが互いに全て連通している全通状態で、円柱状体をＬ字状に折れ曲がって貫通し、該第１導入管と該第２導入管とを連通させるＬ字状貫通孔と、該Ｌ字状貫通孔の該第２導入管と連通する側の一端から円柱状体の外周面に沿って該導出管側に延設され該導出管と連通する外周溝とによって構成され、前記導出管、第１導入管、第２導入管及びＬ字状貫通孔は同一平面上に存在することを特徴とする三方活栓。
【請求項２】
請求項１記載の三方活栓において、
前記第２導入管の先端部には、通常時は閉塞し、前記第２導入管内に挿し込まれる接続具の挿入により開口される弁体を備え、
前記全通状態で、前記Ｌ字状貫通孔の前記第２導入管と連通する開口面が前記第２導入管の中心軸線に対して第１導入管側に偏心されていることを特徴とする三方活栓。
【請求項３】
請求項１または請求項２に記載の三方活栓において、前記全通状態で、前記外周溝の前記Ｌ字状貫通孔の一端と連通する連通面は、前記Ｌ字状貫通孔の前記第１導入管と連通する他端の開口面を前記第１導入管の軸線方向に投影した投影領域の外方に位置することを特徴とする三方活栓。
【発明の詳細な説明】
【技術分野】
【０００１】
本発明は、導出管と２つの導入管との連通を選択的に切換自在な三方活栓に関する。
【背景技術】
【０００２】
三方活栓は、医療の分野において点滴等を行う際に使用されており、２つの導入管から供給される薬液を１つの導出管に交互にあるいは同時に供給自在とするものである。従来、この種の三方活栓では、円筒状の基部から外方に１つの導出管と２つの導入管とが延出している。基部内には円柱状体が液密かつ回動自在に設けられており、円柱状体にはＴ字状の切換路が形成されている。そして、この円柱状体を回動させることにより切換路を介して導出管と各導入管とを選択的に連通させることができるようになっている（例えば、特許文献１参照）。
【０００３】
更に詳しく説明すれば、従来の三方活栓は、図８（ａ）に示すように、円柱状体１０に形成されたＴ字状の切換路１１の各連通路１１ａ，１１ｂ，１１ｃを、基部１２から延びる各方向の第１導入管１３，第２導入管１４，導出管１５に一致させることにより３つの管１３，１４，１５の全てが連通状態となる。この状態で、例えば、第１導入管１３から点滴用薬液を供給し、第２導入管１４から他の薬液注入を行えば、点滴用薬液と他の注入薬液とを混合させて導出管１５から送り出すことができる。
【０００４】
また、図８（ｂ）に示すように、円柱状体１０を、基部１２の両側に直線的に延びる第１導入管１３と導出管１５とに切換路１１の両側に直線的に延びる第１の連通路１１ａと第３の連通路１１ｃとを一致させ第２の連通路１１ｂを基部１２の内面で閉塞する位置に回動させると、第１導入管１３から供給する点滴用薬液のみを導出管１５から送り出す状態となり、第２導入管１４は閉塞状態となる。
【０００５】
更に、図８（ｃ）に示すように、円柱状体１０を、基部１２から直交方向に延びる第２導入管１４と導出管１５とに切換路１１の第１の連通路１１ａと第２の連通路１１ｂとを一致させ第３の連通路１１ｃを基部１２の内面で閉塞する位置に回動させると、第２導入管１４からの注入薬液のみが導出管１５から送り出され、第１導入管１３が閉塞する。
【０００６】
しかし、図８（ｂ）及び図８（ｃ）に示すように、円柱状体１０に形成されたＴ字形の切換路１１によって管１３，１４，１５のうちの何れか２つのみを連通させた状態とすると、図８（ｂ）に示す状態では第２の連通路１１ｂ、図８（ｃ）に示す状態では第３の連通路１１ｃが、基部１２の内面で閉塞された閉塞空間となり、この空間に薬液が滞留する不都合があった。
【０００７】
このため、例えば、図８（ｃ）に示す状態で第２の分岐管１４からの薬液注入を行なった際に閉塞状態の第３の連通路１１ｃの内部に注入薬液の一部が滞留し、患者に対する薬液の投与誤差が生じていた。こうした薬液の投与誤差は、特に、体重の少ない未熟児や乳幼児に対して治療効果の低下につながるおそれがあった。
【特許文献１】実開平６−４４５５４号公報（第４図）
【発明の開示】
【発明が解決しようとする課題】
【０００８】
本発明は、以上の点に鑑み、円柱状体の切換路における薬液の滞留を軽減し、薬液の投与誤差を抑制することができる三方活栓を提供することを目的とする。
【課題を解決するための手段】
【０００９】
上記目的を達成するため、本発明は、円筒状の基部と、該基部の外周面から基部の軸線に直交する方向に延出する導出管と、該基部の外周面から該導出管の軸線上であって該導出管の延出方向とは逆方向に延出する第１導入管と、該基部と該導出管と該第１導入管との各軸線に直交する方向に延出する第２導入管と、基部内に液密かつ回動自在に設けられた円柱状体とを備え、該円柱状体に、その回動により該導出管と該第１導入管と該第２導入管とを選択的に連通させる切換路が形成された三方活栓において、前記切換路は、前記導出管と前記第１導入管と前記第２導入管とが互いに全て連通している状態で、円柱状体をＬ字状に折れ曲がって貫通し、該第１導入管と該第２導入管とを連通させるＬ字状貫通孔と、該Ｌ字状貫通孔の該第２導入管と連通する側の一端から円柱状体の周面に沿って該導出管側に延設され該導出管と連通する外周溝とによって構成され、前記導出管、第１導入管、第２導入管及びＬ字状貫通孔は同一平面上に存在することを特徴とする。
【００１０】
かかる構成によれば、円柱状体の回動により、切換路が導出管と第１導入管と第２導入管とを互いに全て連通させている全通状態においては、第１導入管から供給された薬液はＬ字状貫通孔を流れて第２導入管から供給された薬液と混合され、この混合された薬液が外周溝を流れ導出管から送り出される。
【００１１】
また、円柱状体を全通状態から１８０度回転させ、切換路が第１導入管と導出管のみを連通し第２導入管が円柱状体の外周面により閉塞された直線状連通状態においては、第１導入管から供給された薬液は外周溝及びＬ字状貫通孔を経由して導出管から送り出される。このため、従来のように閉塞空間が形成されない。
【００１２】
また、円柱状体をＬ字状貫通孔の外周溝と連通する側の一端が導出管と連通するように回転させ、切換路が第２導入管と導出管のみを連通し第１導入管が円柱状体の外周面により閉塞されたＬ字状連通状態においては、外周溝と基部内周面とで閉塞空間が形成される。
【００１３】
しかしながら、Ｌ字状連通状態においては、第２導入管から供給された薬液は、Ｌ字状貫通孔により第２導入管の軸線方向から導出管の軸線方向に折れ曲がるようにして流れる方向が変化して導出管から送り出される。そして、外周溝と基部内周面とで画成される閉塞空間はＬ字状貫通孔の導出管と連通する側の一端で連通している。このため、導出管の軸線方向に流れる薬液は閉塞空間内に流れ難い。
【００１４】
以上のように、本発明によれば、閉塞空間が形成されることを抑制し、閉塞空間が形成されても閉塞空間内に第２導入管からの薬液が流れ難く構成されており、従来と比較して、円柱状体の切換路における第２導入管からの薬液の滞留を軽減し、薬液の投与誤差を抑制することできる。
【００１５】
ところで、第２導入管内の先端部に、通常時は閉塞し、第２導入管内に差し込まれる注射器等の接続具の挿入により開口される弁体が設けられている場合、全通状態にて接続具から第２導入管に供給された薬液が、第２導入管から接続具を抜いた後、第２導入管内に残留する虞がある。この場合、切換路を、全通状態でＬ字状貫通孔の第２導入管と連通する開口面が第２導入管の中心軸に対して第１導入管側に偏心するように構成すれば、第１導入管から供給される点滴等の薬液が第２導入管の第１導入管側から流入し、第２導入管内に残留した薬液が第１導入管から供給された薬液と共に、第２導入管の導出管側から円柱状体の外周溝へ押し出される。これにより、第２導入管内に残留した薬液を残さず患者に投与することができる。
【００１６】
また、外周溝のＬ字状貫通孔の一端と連通する連通面は、Ｌ字状貫通孔の第１導入管と連通する他端の開口面を第１導入管の軸線方向に投影した投影領域の外方に位置することが好ましい。
【００１７】
外周溝のＬ字状貫通孔と連通する連通面が前記投影領域と重複している部分を有する場合、Ｌ字状貫通孔の他端から供給された薬液の一部がＬ字状連通孔により流れの方向を９０度変化されることなくそのまま外周溝へ流れる虞がある。この場合、前記Ｌ字状連通状態においては、外周溝と基部内周面とで画成される閉塞空間に薬液が流れ込み易くなってしまう。
【００１８】
上記の如く、連通面を投影領域の外方に位置させれば、Ｌ字状貫通孔の他端から供給された薬液の全てがＬ字状連通孔により流れの方向を９０度変化されてＬ字状貫通孔の一端から送り出されるため、画成された閉塞空間へ薬液が流れ込むことをより抑制させることができる。
【発明を実施するための最良の形態】
【００１９】
図１〜５を参照して、本発明の三方活栓の第１実施形態について説明する。図１に示すように、第１実施形態の三方活栓１は、円筒状の基部２と、基部２から三方に延出する第１導入管３と第２導入管４と導出管５とを備えている。第１導入管３と導出管５とは、図２に示すように、基部２を介して互いに同軸線上に延設され、第２導入管４は、図１及び図３に示すように、基部２を介して第１導入管３及び導出管５の軸線に対して直交する軸線上に延設されている。
【００２０】
基部２内には、図１及び図２に示すように、上部にＴ字状のレバー６を備える円柱状体７が液密かつ回動自在に挿設されている。円柱状体７には、図４（ａ）に示すように切換路８が形成されている。切換路８は、図２及び図４（ａ）に示すように、円柱状体７をＬ字状に折れ曲がって貫通するＬ字状貫通孔８ａと、図３及び図４（ａ）に示すように、円柱状体７の外周面に沿って延設された外周溝８ｂとによって構成されている。
【００２１】
Ｌ字状貫通孔８ａは、図２及び図４（ａ）〜（ｃ）に示すように、円柱状体７の軸線に直交する方向にＬ字状に折れ曲がって貫通しており、レバー６の操作に伴う円柱状体７の回動によって、第１導入管３と第２導入管４と導出管５との何れかを選択的に連通させることができる。
【００２２】
また、外周溝８ｂは、図４（ａ）に示すようにＬ字状貫通孔８ａが第１導入管３と第２導入管４とを連通させた状態において、その一端がＬ字状貫通孔８ａの第２導入管４に連通する側の一端に連通し、その他端が導出管５に連通するように円柱状体７の外周面に沿って形成されている。
【００２３】
このとき、外周溝８ｂのＬ字状貫通孔８ａの一端と連通する連通面は、Ｌ字状貫通孔の第１導入管３と連通する他端の開口面を第１導入管３の軸線方向に投影した投影領域の外方に位置するように構成されている。なお、図１に示すように、レバー６には、その上面に連通方向を示す矢印表示９が設けられている。
【００２４】
次に、第１実施形態の三方活栓１の作動について説明する。まず、図４（ａ）に示すように、円柱状体７のＬ字状貫通孔８ａが第１導入管３と第２導入管４とに連通し、円柱状体７の外周溝８ｂが第２導入管４と導出管５とに連通した全通状態のとき、例えば、第１導入管３から点滴等の薬液が導入され、第２導入管４にはシリンジ等が接続されて他の薬液が注入され、それらの混合薬液が導出管５から送り出される。
【００２５】
この全通状態から、レバー６の操作によって、図４（ｂ）に示すように円柱状体７を１８０°回転させると、円柱状体７の外周面により第２導入管４が閉鎖され、第１導入管３及び導出管５は外周溝８ｂ及びＬ字状貫通孔８ａにより連通した直線状連通状態となる。これにより、第１導入管３から導入された点滴等の薬液が、外周溝８ｂとＬ字状貫通孔８ａとを流動して導出管５から導出される。
【００２６】
従って、第２導入管４を閉鎖している円柱状体７の切換路８には、従来のように閉塞された空間（図６（ｂ）の符号１１ｂ）が形成されることはなく、円柱状体７の切換路８における薬液の滞留が生じることがない。
【００２７】
また、図４（ａ）に示す状態から、レバー６の操作によって、図４（ｃ）に示すように円柱状体７を反時計回りに９０°回転させると、円柱状体７の外周面により第１導入管３が閉鎖され、第２導入管４及び導出管５はＬ字状貫通孔８ａにより連通したＬ字状連通状態となる。このとき、外周溝８ｂと基部２の内周面とで閉塞空間が形成されるが、第２導入管４から注入された薬液は、Ｌ字状貫通孔８ａにより第２導入管４の軸線方向から導出管５の軸線方向に折れ曲がるようにして流れの方向が変化して導出管５から送り出される。そして、外周溝８ｂと基部２の内周面とで画成される閉塞空間はＬ字状貫通孔８ａの導出管５と連通する側の一端で連通する。このため、導出管５の軸線方向に流れる薬液が閉塞空間内に流れ難くなる。
【００２８】
以上のように、第１実施形態の三方活栓１によれば、閉塞空間が形成されることを抑制し、閉塞空間が形成されても閉塞空間内に薬液が流れ難く構成されており、従来と比較して、円柱状体７の切換路８における薬液の滞留を軽減し、薬液の投与誤差を抑制することできる。このため、例えば、体重の少ない未熟児や乳幼児に対しても良好に採用することができる。
【００２９】
また、Ｌ字状貫通孔８ａは、その両開口面が、図５（ａ）〜（ｄ）に示すように、レバー６を導管３，４，５に対して斜め約４５度となる位置に回転させたときに、何れの導管３，４，５にも連通せずに基部２の内周面で閉塞されるように形成されている。これにより、従来のＴ字状貫通孔が円柱状体に穿設された三方活栓と同様に、レバー６を斜めにするだけで導出管５からの薬液の供給を阻止することができ、利便性を維持させることができる。
【００３０】
この場合、例えば、基部２の内周面と円柱状体７の外周面とに互いに解除自在に係合する凹凸部を形成し、この凹凸部を、レバー６を導管３，４，５に対して斜め約４５度となる位置に回転させたときに係合させるように構成すれば、レバー６の位置決めを容易とすることができる。
【００３１】
次に、図６，図７を参照して本発明の三方活栓の第２実施形態について説明する。なお、第１実施形態と同一の構成については同一の符号を付して説明する。
【００３２】
第２実施形態の三方活栓１’の第２導入管４’内には、ゴム等の弾性体で略筒状に形成され先端に閉塞部を備える弁体Ｒが設けられている。弁体Ｒの閉塞部にはスリットＲａが設けられ、通常時は閉塞している。第２導入管４’内に図示しない注射器の雄ルアー部等の接続具が挿入されると、接続具の先端で弁体Ｒの閉塞部が内側に押し込まれスリットＲａが開口する。これにより、注射器等の薬液が第２導入管４’内に供給される。
【００３３】
また、第２実施形態の円柱状体７には切換路８が形成され、切換路８は、円柱状体７をＬ字状に折れ曲がって貫通するＬ字状貫通孔８ａ’と、円柱状体７の外周面に沿って延設された外周溝８ｂ’とによって構成されている。
【００３４】
Ｌ字状貫通孔８ａ’は、第１導入管３と第２導入管４’とを連通させた状態において、第２導入管４’と連通する開口面が第２導入管４’の中心軸線に対して第１導入管３側に偏心されている。
【００３５】
外周溝８ｂ’は、Ｌ字状貫通孔８ａ’が第１導入管３と第２導入管４’とを連通させた状態において、その一端がＬ字状貫通孔８ａ’の第２導入管４’に連通する側の一端に連通し、その他端が導出管５に連通するように円柱状体７の外周面に沿って形成されている。また、外周溝８ｂ’は、Ｌ字状貫通孔８ａ’と連通する一端側の部分の深さが浅く形成されている。
【００３６】
他の構成は全て第１実施形態の構成と同一である。また、第２実施形態の三方活栓１’の作動についても第１実施形態のものと同一であるため説明を省略する。
【００３７】
第２実施形態の三方活栓１’によれば、第１実施形態の三方活栓１の作用効果に加えて、全通状態にて注射器の雄ルアー部等の接続具から第２導入管４’に供給された薬液が、第２導入管４’から接続具を抜いた後、第２導入管４’内に残留しても、第１導入管３から供給される点滴等の薬液がＬ字状貫通孔８ａ’を介して第２導入管４’の第１導入管３側から流入し、第２導入管４’内に残留した薬液が第１導入管３から供給された薬液と共に、第２導入管４’の導出管５側から円柱状体７の外周溝８ｂ’へ押し出される。これにより、第２導入管４’に残留した薬液を残さず患者に投与することができる。
【００３８】
また、図７（ａ）〜（ｄ）に示すように、Ｌ字状貫通孔８ａ’は、その両開口面が、レバー６を導管３，４，５に対して斜め約４５度となる位置に回転させたときに、何れの導管３，４，５にも連通せずに基部２の内周面で閉塞されるように形成されている。これにより、従来のＴ字状貫通孔が円柱状体に穿設された三方活栓と同様に、レバー６を斜めにするだけで導出管５からの薬液の供給を阻止することができ、利便性を維持させることができる。
【００３９】
この場合、例えば、基部２の内周面と円柱状体７の外周面とに互いに解除自在に係合する凹凸部を形成し、この凹凸部を、レバー６を導管３，４，５に対して斜め約４５度となる位置に回転させたときに係合させるように構成すれば、レバー６の位置決めを容易とすることができる。
【図面の簡単な説明】
【００４０】
【図１】本発明の三方活栓の第１実施形態を示す平面図。
【図２】図１のＩＩ−ＩＩ線断面図。
【図３】図１のＩＩＩ−ＩＩＩ線断面図。
【図４】第１実施形態の三方活栓における円柱状体の作用を示す説明的断面図。
【図５】第１実施形態の三方活栓の導出管からの薬液の供給を阻止した状態を示す断面図。
【図６】本発明の三方活栓の第２実施形態を示す説明的断面図。
【図７】第２実施形態の三方活栓の導出管からの薬液の供給を阻止した状態を示す断面図。
【図８】従来の三方活栓を示す説明的断面図。
【符号の説明】
【００４１】
１，１’…三方活栓、２…基部、３…第１導入管、４…第２導入管、５…導出管、６…レバー、７…円柱状体、８…切換路、８ａ，８ａ’…Ｌ字状貫通孔、８ｂ，８ｂ’…外周溝、９…矢印表示、Ｒ…弁体、Ｒａ…スリット。
【図１】
0005257650.tif 000002
【図２】
0005257650.tif 000003
【図３】
0005257650.tif 000004
【図４】
0005257650.tif 000005
【図５】
0005257650.tif 000006
【図６】
0005257650.tif 000007
【図７】
0005257650.tif 000008
【図８】
0005257650.tif 000009